(57)【要約】【課題】  保守点検作業時に名板を設定及び保守点検対象機器の近傍に表示させることができ、また必要な名板情報が見易く容易に閲覧できる作業性の良好なエレベータの制御盤を得る。【解決手段】  各種制御機器１３Ａ〜１３Ｄが収納されたエレベータの制御盤１において、各種制御機器の設定及び保守点検に必要な情報が表示された複数の名板表示部６を回動可能に設けた名板表示ユニット４を備え、名板表示ユニットを制御盤筐体の任意の位置に着脱自在に取り付けられる構成としたもの。【選択図】    図１
2006151643.tif 000002
【特許請求の範囲】
【請求項１】
各種制御機器が収納されたエレベータの制御盤において、各種制御機器の設定及び保守点検に必要な情報が表示された複数の名板表示部を回動可能に設けた名板表示ユニットを備え、前記名板表示ユニットを制御盤筐体の任意の位置に着脱自在に取り付けられる構成としたことを特徴とするエレベータ制御盤。
【請求項２】
名板表示ユニットの制御盤筐体への取付け手段をマグネットとしたことを特徴とする請求項１に記載のエレベータ制御盤。
【請求項３】
名板表示ユニットの制御盤筐体への取付け手段をネジ止め固定としたことを特徴とする請求項１に記載のエレベータ制御盤。
【請求項４】
名板表示ユニットは、ユニット取付板と、このユニット取付板の前面に重合され、名板シール、名板名称シール及び保守対象機器名称シール等が貼付けられた複数枚の名板表示板とから構成されていることを特徴とする請求項１〜請求項３のいずれかに記載のエレベータ制御盤。
【請求項５】
名板表示ユニットは、ユニット取付板と、このユニット取付板の前面に設けられ、制御機器の設定及び保守点検に必要な情報が印刷された名板シールが封入された透明な袋状の名板封入部とから構成されていることを特徴とする請求項１〜請求項３のいずれかに記載のエレベータ制御盤。
【発明の詳細な説明】
【技術分野】
【０００１】
この発明は、エレベータの制御盤に関し、詳しくはエレベータの制御盤の各種設定、保守点検などの情報の表示手段に関するものである。
【背景技術】
【０００２】
従来のエレベータ制御盤においては、エレベータ制御盤は磁性体である鋼板製の箱体と、その一側に枢着された鋼板製の扉から構成されて、その内部には各種制御機器が収納されている。そして、各種制御機器の設定及び保守点検に必要な情報が表示された各種シール名板が扉の裏面側の空きスペースに貼付けられており、設定及び保守点検作業時に作業者が必要な情報を閲覧できるように構成されている。
また、他の従来技術としては、エレベータ制御に関する仕様データがバーコードで表示されたバーコード紙をエレベータ制御盤の扉の裏面に貼着されたエレベータの保守装置が知られている（例えば、特許文献１参照）。
【０００３】
【特許文献１】特開平３−２９７７６５号公報（第１図）
【発明の開示】
【発明が解決しようとする課題】
【０００４】
従来のエレベータ制御盤では、制御機器の設定及び保守点検作業時に閲覧する種々のシール名板を制御盤内部の限られた貼付け可能なスペースに貼付けている。しかし、近年主流となりつつある機械室レスエレベータ及びコンパクト機械室エレベータにおける制御盤は、レイアウトの制約により限られた狭いスペース内に設置する必要があり、小型化が進んでいる。その為、シール名板の貼付けスペースが制限され、シール名板を設定及び保守点検対象制御機器の近傍といった最適な位置に貼付けられないという問題点がある。また、シール名板を限られたスペースに貼付けるために小型化した結果、設定及び保守点検作業時に必要な情報文字が小さくなり、内容が見難いという問題点があった。
また、特許文献１記載のものは、バーコード紙をエレベータ制御盤の扉の裏面に貼着しただけであり、限られたスペースに貼付けるために工夫されたものではなかった。
【０００５】
この発明は、上述のような課題を解決するためになされたもので、保守点検作業時に名板を設定及び保守点検対象機器の近傍に表示させることができ、また必要な名板情報が見易く容易に閲覧できる作業性の良好なエレベータの制御盤を提供することを目的としている。
【課題を解決するための手段】
【０００６】
この発明に係るエレベータの制御盤は、各種制御機器が収納されたものにおいて、各種制御機器の設定及び保守点検に必要な情報が表示された複数の名板表示部を回動可能に設けた名板表示ユニットを備え、名板表示ユニットを制御盤筐体の任意の位置に着脱自在に取り付けられる構成としたものである。
【発明の効果】
【０００７】
この発明は以上説明したように、各種制御機器の設定及び保守点検に必要な情報が表示された複数の名板表示部を回動可能に設けた名板表示ユニットを備え、名板ユニットを制御盤筐体の任意の位置に着脱自在に取り付けられる構成としたことにより、名板の縮小化を回避し保守点検作業者が必要な名板情報を容易に閲覧でき視認性が良好になる。また、名板表示ユニットを設定及び保守点検対象機器の近傍の位置に表示可能となり保守作業性が向上する。
【発明を実施するための最良の形態】
【０００８】
実施の形態１．
図１はこの発明の実施の形態１におけるエレベータの制御盤を示す斜視図、図２はこの発明の実施の形態１におけるエレベータの制御盤の名板表示ユニット部の構造を示す正面図、図３は図２のＡ−Ａ線に沿った断面図である。
機械室レスエレベータ及びコンパクト機械室エレベータにおける制御盤は、レイアウトの制約により限られた狭いスペース内に設置する必要があるため、小型化されたエレベータ制御盤というのが発明の前提である。図１において、エレベータ制御盤１は、磁性体である鋼板製の縦型の箱体２と、その一側に開閉自在に枢着された鋼板製の扉３から構成されて、その内部には各種制御機器１３が縦方向に積み重ねられて収納されている。名板表示ユニット４は通常時、扉３の裏面の放熱用窓等を避けた空きスペースに着脱自在に取り付けられている。制御盤１に収納されている制御機器１３を設定及び保守点検したい場合には、作業者は扉３を開き、対象制御機器１３Ａ〜１３Ｄにアクセスする。その際、扉３の裏面の放熱用窓等を避けた空きスペースに取り付けられている名板表示ユニット４を取り外し、これを保守対象制御機器１３Ａ〜１３Ｄの近傍に取り付けて、必要な情報を閲覧しながら保守点検作業を行う。
【０００９】
図２、図３において名板表示ユニット４は、ユニット取付板５と、このユニット取付板の前面に重合される板厚の薄いプラスチック系の材料を使用した複数枚の名板表示部である名板貼付け板６とから構成されている。この名板貼付け板６の前面に名板シール７が貼付けられて、名板表示部となる。また名板貼付け板６の一側端部にはインデックス形状部が設けられ、このインデックス形状部には名板名称シール及び保守対象機器名称シール８が貼付けられている。そして、複数枚の名板貼付け板６をユニット取付板５に対して一枚ずつ回動可能にするためのめくり機構９が設けられている。このめくり機構９は、ユニット取付板５の下端部両側に設けられた円弧状の支承軸９ａを備えた支持板９ｂと、名板貼付け板６の下端部両側に設けられ上記支承軸９ａにそれぞれ挿通される貫通穴９ｃとから構成されている。また、ユニット取付板５の上端部前面側には名板貼付け板６が回動しないように名板貼付け板６の上端部を押えるストッパー１０が設けられており、ユニット取付板５の背面側の上下端部にはマグネット１２が貼付けられている。名板貼付け板６の交換手段としては、支持板９ｂを押えている固定ネジ１１を取り外すことにより交換可能になっている。
【００１０】
このように構成された名板表示ユニット４においては、ユニット取付板５の背面側にマグネット１２が貼付けられている為、エレベータ制御盤１の磁性体である鋼板製の箱体２及び扉３の任意の位置に取り付けることが可能である。従って、保守点検作業時、名板表示ユニット４を設定及び保守点検対象機器１３Ａ〜１３Ｄの近傍の位置に取り付けることが可能となり、保守作業性が向上する。
【００１１】
また、制御盤筐体への名板表示ユニット４の取り付けスペースが制限されることなく、１つの名板表示ユニット４で複数の設定及び保守点検に必要な情報が表示された名板シール７を名板貼付け板６に貼付けることが可能となる為、名板の縮小化を回避し保守点検作業者の視認性が大幅に改善され良好になる。
【００１２】
また、名板表示板である名板貼付け板６のインデックス形状部に名板名称シール及び保守対象機器名称シール８を貼付けることによって、保守点検作業者が設定及び保守点検対象機器１３の必要な名板情報を容易に閲覧することができる。
【００１３】
実施の形態２．
図４はこの発明の実施の形態２におけるエレベータの制御盤を示す斜視図である。
上記実施の形態１では、名板表示ユニット４の取り付け手段としてマグネット１２を用いているが、この実施の形態２は、名板表示ユニット４の取り付け手段としてネジ止め固定とした場合の例を示すものである。図４において、名板表示ユニット４をネジ止め固定させるために、エレベータ制御盤１の箱体２及び扉３の設定及び保守点検対象機器１３の近傍の位置にネジ加工を施し、名板表示ユニット４を固定ネジ１４により着脱自在に取り付ける。このような構成によっても上記実施の形態１に記載の効果を得ることができる。
【００１４】
実施の形態３．
なお、上記実施の形態１、２では、名板表示ユニット４の名板表示部である名板貼付け板６に名板シール７を貼付けるように構成したが、名板表示部を透明なファイル状（袋状）の名板封入部に代替し、制御機器の設定及び保守点検に必要な情報が印刷された名板シール７（シールの無いものに代替可）を透明なファイル状（袋状）内に挿入する構成にしてもよく、このような構成によっても同様の効果を得ることができる。
【図面の簡単な説明】
【００１５】
【図１】この発明の実施の形態１におけるエレベータの制御盤を示す斜視図である。
【図２】この発明の実施の形態１におけるエレベータの制御盤の名板表示ユニット部の構造を示す正面図である。
【図３】図２のＡ−Ａ線に沿った断面図である。
【図４】この発明の実施の形態２におけるエレベータの制御盤を示す斜視図である。
【符号の説明】
【００１６】
１  エレベータ制御盤
２  鋼板製の箱体
３  鋼板製の扉
４  名板表示ユニット
５  ユニット取付板
６  名板貼付け板
７  名板シール
８  名板名称シール及び保守対象機器名称シール
９  めくり機構
９ａ  支承軸
９ｂ  支持板
９ｃ  貫通穴
１０  ストッパー
１１  固定ネジ
１２  マグネット
１３Ａ〜１３Ｄ  保守対象制御機器
１４  固定ネジ
【図１】
2006151643.tif 000003
【図２】
2006151643.tif 000004
【図３】
2006151643.tif 000005
【図４】
2006151643.tif 000006